(57)【特許請求の範囲】
【請求項１】
コネクションを確立して接続した端末間で、ヘッダにＴＯＳを有するパケットを、該ＴＯＳで定められた優先順位で転送制御するパケット通信制御方法であって、
新たに接続したコネクションにおいて転送するパケットに対しては、該パケットのＴＯＳ値を、既に接続済みのコネクションにおいて転送しているパケットのＴＯＳ値よりも低い値に設定して低い優先順位とし、
上記新たに接続したコネクションの接続持続時間が予め設定された時間を経過すると、該新たに接続したコネクションにおいて転送するパケットのＴＯＳ値を経過前より高い値に変更して該パケットの優先順位を経過前より高くすることを特徴とするパケット通信制御方法。
【請求項２】
請求項１に記載のパケット通信制御方法であって、
上記接続持続時間が予め設定された時間を経過した後の上記ＴＯＳ値の高い値への変更を、予め登録された加入者に対して行うことを特徴とするパケット通信制御方法。
【請求項３】
請求項１、もしくは、請求項２のいずれかに記載のパケット通信制御方法であって、
新たな通信開始要求が発生してから予め定められた経過時間までに当該要求に対応する予め設定された品質でのコネクションが確立されるか否かを判別し、
該判別の結果、上記予め定められた経過時間までの上記新たな通信開始要求に対応する予め設定される品質でのコネクションが確立されない場合、該新たな通信開始要求に対するコネクション確立動作を停止する
ことを特徴とするパケット通信制御方法。
【請求項４】
請求項３に記載のパケット通信制御方法であって、
上記新たな通信開始要求に対するコネクション確立動作を停止した場合には、同一対地もしくは全対地の新たなコネクションの確立を予め定められた時間だけ停止することを特徴とするパケット通信制御方法。
【請求項５】
コネクションを確立して接続した端末間で、ヘッダにＴＯＳを有するパケットを、該ＴＯＳで定められた優先順位で転送制御するパケット転送装置であって、
新たに接続したコネクションにおいて転送するパケットに対しては、該パケットのＴＯＳ値を、既に接続済みのコネクションにおいて転送しているパケットのＴＯＳ値よりも低い値に設定して低い優先順位とする手段と、
上記新たに接続したコネクションの接続持続時間を計測する手段と、
該手段で計測した上記新たに接続したコネクションの接続持続時間が予め設定された時間を経過すると、該新たに接続したコネクションにおいて転送するパケットのＴＯＳ値を経過前より高い値に変更して該パケットの優先順位を経過前より高くする手段と
を有することを特徴とするパケット転送装置。
【請求項６】
請求項５に記載のパケット転送装置であって、
上記新たに接続するコネクションが予め登録された加入者に対するものであるか否かを判別する手段を有し、
該手段で判別した上記予め登録された加入者に対して、上記接続持続時間が予め設定された時間を経過した後の上記パケットのＴＯＳの高い値への変更を行うことを特徴とするパケット転送装置。
【請求項７】
請求項５もしくは請求項６のいずれかに記載のパケット転送装置であって、
新たな通信開始要求が発生してから予め定められた経過時間までに当該要求に対応する予め設定された品質でのコネクションが確立されるか否かを判別する手段と、
該手段での判別の結果、上記予め定められた経過時間までの上記新たな通信開始要求に対応する予め設定される品質でのコネクションが確立されない場合、該新たな通信開始要求に対するコネクション確立動作を停止する手段と
を有することを特徴とするパケット転送装置。
【請求項８】
請求項７に記載のパケット転送装置であって、
上記新たな通信開始要求に対するコネクション確立動作を停止した場合には、同一対地もしくは全対地の新たなコネクションの確立を予め定められた時間だけ停止する手段を有することを特徴とするパケット転送装置。
【請求項９】
コネクションを確立して接続した端末間で、ヘッダにＴＯＳを有するパケットを、該ＴＯＳで定められた優先順位で転送制御するパケット転送サービスシステムであって、
新たに接続するコネクションが予め登録された加入者に対するものであるか否かを判別し、
上記予め登録された加入者に対するものであれば新たに接続したコネクションの接続持続時間を計測し、
該計測した上記新たに接続したコネクションの接続持続時間が予め設定された時間を経過すると、該新たに接続したコネクションにおいて転送するパケットのＴＯＳの値を経過前より高い値に変更して該パケットの優先順位を経過前より高くすることを特徴とするパケット転送サービスシステム。
【請求項１０】
コネクションを確立して接続した端末間で、ヘッダにＴＯＳを有するパケットを、該ＴＯＳで定められた優先順位で転送制御するパケット通信制御システムであって、
新たに接続したコネクションにおいて転送するパケットに対しては、該パケットのＴＯＳ値を、既に接続済みのコネクションにおいて転送しているパケットのＴＯＳ値よりも低い値に設定して低い優先順位とし、
上記新たに接続したコネクションの接続持続時間が予め設定された時間を経過すると、該新たに接続したコネクションにおいて転送するパケットのＴＯＳ値を経過前より高い値に変更して該パケットの優先順位を経過前より高くすることを特徴とするパケット通信制御システム。
【請求項１１】
請求項１０に記載のパケット通信制御システムであって、
上記接続持続時間が予め設定された時間を経過した後の上記ＴＯＳ値の高い値への変更を、予め登録された加入者に対して行うことを特徴とするパケット通信制御システム。
【請求項１２】
請求項１０、もしくは、請求項１１のいずれかに記載のパケット通信制御システムであって、
新たな通信開始要求が発生してから予め定められた経過時間までに当該要求に対応する予め設定された品質でのコネクションが確立されるか否かを判別し、
該判別の結果、上記予め定められた経過時間までの上記新たな通信開始要求に対応する予め設定される品質でのコネクションが確立されない場合、該新たな通信開始要求に対するコネクション確立動作を停止する
ことを特徴とするパケット通信制御システム。
【請求項１３】
請求項１２に記載のパケット通信制御システムであって、
上記新たな通信開始要求に対するコネクション確立動作を停止した場合には、同一対地もしくは全対地の新たなコネクションの確立を予め定められた時間だけ停止することを特徴とするパケット通信制御システム。
【発明の詳細な説明】
【０００１】
【発明の属する技術分野】
本発明は、パケットの通信技術に係わり、特に、回線品質の維持を効率的に行うのに好適なパケット通信制御方法とパケット転送装置およびパケット転送サービスシステムに関するものである。
【０００２】
【従来の技術】
パケット通信技術は、ＬＡＮ（Local Area Network）やインターネット等におけるコンピュータ間のデータ転送などに用いられている。このパケット通信技術を適用した、例えば、ＶｏＩＰ（Voice over ＩＰ）ゲートウェイを用いた通信回線においては、相手先のゲートウェイのポートに空きがある場合、トラフィックの状況とは関係なく接続を行う。
【０００３】
図５は、従来のパケット通信回線網の構成を示すブロック図である。
【０００４】
本図において、５１ａ〜５１ｄはマルチメディアゲートウェイ（Multimedia Gateway）（図中、「ＭＧ」と記載）、５２はコールエージェント（Call Agent）（図中、「ＣＡ」と記載）、５３ａ〜５３ｆはコンピュータ等からなる端末（図中、「Ｔ」と記載）である。
【０００５】
このような構成のパケット通信回線網において、例えば、発信端末５３ａが相手接続先端末５３ｄに対してダイヤル発信をすると、回線側は、相手接続先端末５３ｄ側のマルチメディアゲートウェイ５１ｄに空きがあることを確認して接続を行う。
【０００６】
同様にして端末５３ｂ−端末５３ｅ間で回線接続した後、端末５３ｃ−端末５３ｆ間に新たなコネクション要求が発生すると、既に接続されている端末５３ａ−端末５３ｄおよび端末５３ｂ−端末５３ｅ間で実行されているコネクションが影響を受ける。
【０００７】
例えば、パケットの欠落や、網内遅延、ゆらぎおよび輻輳などによる影響を受ける。このように、端末５３ｃ−端末５３ｆ間の新たなコネクション要求の影響が全帯域に及び、その結果、全てのコネクションに対して品質の劣化が生じる。
【０００８】
【発明が解決しようとする課題】
解決しようとする問題点は、従来の技術では、新たな接続により既接続済のコネクションが受ける影響を回避することができない点である。
【０００９】
本発明の目的は、これら従来技術の課題を解決し、パケット型通信網の回線品質を向上させることが可能なパケット通信制御方法とパケット転送装置およびパケット転送サービスシステムを提供することである。
【００１０】
【課題を解決するための手段】
上記目的を達成するため、本発明のパケット通信制御方法とパケット転送装置は、パケットのＴＯＳの値を、接続持続時間の経過に対応して高い値へ変更する。例えば、新たな接続に対しては、パケットのＴＯＳ（Type Of Service）の値を、既に接続済のコネクションにおけるパケットのＴＯＳ値よりも低くし、所定の接続持続時間の経過後に、既接続済のパケットとして当該ＴＯＳ値を変更して高くする。このように、新たな接続に対するＴＯＳ値を低くすることにより、この新たな接続による、既に安定して接続されているコネクションへの干渉妨害を回避して、既に確立している回線の品質を維持することができる。また、新たな接続要求に対する予め定められた十分な品質でのコネクションが、所定時間が経過するまで確立できない場合は、当該コネクションの確立動作を停止して、既に確立している他のコネクションへの品質低下などの影響を回避する。また、予め登録された加入者に対してのみ本発明を適用することにより、加入者毎に、異なるサービス品質を提供する。
【００１１】
【発明の実施の形態】
以下、本発明の実施の形態を、図面により詳細に説明する。
図１は、本発明に係わるパケット転送装置を有するパケット転送サービスシステムの第１の構成例を示すブロック図であり、図２は、図１におけるパケット転送装置のハードウェア構成例を示すブロック図である。
【００１２】
図２において、２１はＣＲＴ（Cathode Ray Tube）やＬＣＤ(Liquid Crystal Display）等からなる表示装置、２２はキーボードやマウス等からなる入力装置、２３はＨＤＤ（Hard Disk Drive）等からなる外部記憶装置、２４はＣＰＵ（Central Processing Unit）２４ａや主メモリ２４ｂ等を具備して蓄積プログラム方式によるコンピュータ処理を行なう情報処理装置、２５は本発明に係わるプログラムやデータを記録したＣＤ−ＲＯＭ（Compact Disc-Read Only Memory）もしくはＤＶＤ（Digital Video Disc/Digital Versatile Disc）等からなる光ディスク、２６は光ディスク２５に記録されたプログラムおよびデータを読み出すための駆動装置、２７はＬＡＮ（Local Area Network）カードやモデム等からなる通信装置である。
【００１３】
光ディスク２５に格納されたプログラムおよびデータを情報処理装置２４により駆動装置２６を介して外部記憶装置２３内にインストールした後、外部記憶装置２３から主メモリ２４ｂに読み込みＣＰＵ２４ａで処理することにより、情報処理装置２４内に図１に示すＴＯＳ値変更部４ａと接続時間監視部５ａを具備するパケット転送装置（マルチメディアゲートウェイ１ａ〜１ｄ）が構成される。
【００１４】
図１におけるパケット転送サービスシステムは、ＶｏＩＰを提供するものであり、１ａ〜１ｄは本発明に係わるパケット転送装置としてのマルチメディアゲートウェイ（Multimedia Gateway）（図中、「ＭＧ」と記載）、２はデータベース（図中、「ＤＢ」と記載）、３ａ〜３ｆはコンピュータ等からなる端末（図中、「Ｔ」と記載）である。
【００１５】
本例のマルチメディアゲートウェイ１ａ〜１ｄには、マルチメディアゲートウェイ１ａ，１ｄに示すように、ＴＯＳ値変更部４ａ，４ｂと接続時間監視部５ａ，５ｂ、加入者特定部６ａ，６ｂ、および、コネクション停止部７ａ，７ｂが設けられ、このような構成により、ＴＯＳの値を、接続持続時間の経過に対応して高い値へ変更する。
【００１６】
尚、ＴＯＳとは、例えば、丸山修孝著「わかりやすい  通信プロトコルの技術」（平成９年、株式会社オーム社発行）の第１５８，１５９頁に記載のように、Type Of Serviceの略で、ＩＰフレームのフィールドである。このＴＯＳに関しては、Ｄ，Ｔ，Ｒ，Ｃのフラグがあり、Ｄフラグは当該ＩＰフレームが遅延の小さい回線を要求し、Ｔフラグはスループットの高い回線を要求し、Ｒフラグは信頼性の高い回線を要求し、Ｃフラグは低コストの回線を要求する。このように、各パケット毎にサービスの品質を要求することにより、ルータ等のパケット転送装置では、この要求に従った回線を選ぶことができる。
【００１７】
すなわち、マルチメディアゲートウェイ１ａ，１ｄでは、接続時間監視部５ａ，５ｂにおいて、新たな接続の持続経過時間を計測し、この接続時間監視部５ａ，５ｂで計測する接続持続時間の経過に対応して、ＴＯＳ値変更部４ａ，４ｂにおいて、ＴＯＳの値を高い値に変更する。
【００１８】
例えば、新たな接続に対しては、パケットのＴＯＳの値を、既に接続済のコネクションにおけるパケットのＴＯＳ値よりも低くし、所定の接続持続時間の経過後に、既接続済のパケットとして当該ＴＯＳ値を変更して高くする。
【００１９】
このように、新たな接続に対するＴＯＳ値を低くすることにより、この新たな接続による、既に安定して接続されているコネクションへの干渉妨害を回避して、既に確立している回線の品質を維持することができる。
【００２０】
また、コネクション停止部７ａ，７ｂにおいては、新たな通信開始要求が発生してから予め定められた経過時間までに当該要求に対応する予め定められた十分な品質でのコネクションが確立されるか否かを判別し、この判別の結果、予め定められた経過時間までの新たな通信開始要求に対応する予め定められた十分な品質でのコネクションが確立されない場合には、新たな通信開始要求に対するコネクション確立動作を停止する。さらに、このようにして新たな通信開始要求に対するコネクション確立動作を停止した場合には、同一対地もしくは全対地の新たなコネクションの確立を予め定められた時間だけ停止する。
【００２１】
尚、予め定められる十分な品質は、破棄されたパケットの数や、パケットの遅延の大きさなどに基づき設定される。このように、新たな接続要求に対するコネクションが、所定時間が経過するまで十分な品質で確立できない場合は、当該コネクションの確立動作を含めて停止して、既に確立している他のコネクションへの品質低下などの影響を回避する。
【００２２】
また、加入者特定部６ａ，６ｂにおいては、データベース２を参照して、新たな接続が予め登録された加入者に対するものであるか否かを判別し、このようにして判別した予め登録された加入者に対してのみ、ＴＯＳ値変更部４ａ，４ｂにより、ＴＯＳの値を高い値に変更する。これにより、予め登録された加入者に対する回線品質を、登録されていない加入者に対する回線品質より高くする。
【００２３】
このように、予め登録された加入者に対してのみ、所定接続持続時間経過後のＴＯＳ値の高い値への変更を行うことにより、本例のパケット転送サービスシステムでは、加入者毎に、異なるサービス品質を提供する。
【００２４】
以上の説明では、接続持続時間の予め設定された経過時間に対する監視やＴＯＳ値の変更等を含め、コネクションの制御をマルチメディアゲートウェイ１ａ〜１ｄの主導で行う構成としているが、コネクションの接続制御をコールエージェント（Call Agent）主導で行う場合には、コールエージェントにおいて、接続持続時間の予め設定された経過時間に対する監視を行い、その監視結果を、マルチメディアゲートウェイ１ａ〜１ｄに通知し、この通知に基づき、マルチメディアゲートウェイ１ａ〜１ｄにおいて、ＴＯＳの値の変更を行う構成となる。以下、このようなコールエージェントを有するパケット転送サービスシステムについて説明する。
【００２５】
図３は、本発明に係わるパケット転送装置を有するパケット転送サービスシステムの第２の構成例を示すブロック図である。
【００２６】
本図３におけるパケット転送サービスシステムでは、図１に示すパケット転送サービスシステムにおけるデータベース２の代わり、コールエージェント（Call Agent）（図中、「ＣＡ」と記載）１２を設けた構成となっている。
【００２７】
そして、本発明に係わるパケット転送装置としてのマルチメディアゲートウェイ（図中、「ＭＧ」と記載）１１ａ〜１１ｄは、コールエージェント１２からの指示に基づき、ＴＯＳ値変更部１４ａ，１４ｂと接続時間監視部１５ａ，１５ｂ、加入者特定部１６ａ，１６ｂ、および、コネクション停止部１７ａ，１７ｂの動作を制御する。
【００２８】
このような、コールエージェント１２で網全体を管埋させるように構成するシステムにあっては、新たな接続要求が発生すると、コールエージェント１２は、接続処理の開始後、時間計測を始め、予め設定された時間経過まで、マルチメディアゲートウェイ１１ａ〜１１ｄに対して、その経過時間を通知する。
【００２９】
例えば、端末１３ａ−端末１３ｄ間で既にコネクションが確立しているときに端末１３ｂから端末１３ｅへのコネクション要求があると、コールエージェント１２は、マルチメディアゲートウェイ１１ａに対して、端末１３ｂからのパケットのＴＯＳ値を通常より低く設定して端末１３ｅへ接続するよう指示し、同時に接続時間の計時を開始する。
【００３０】
所定時間経過後、マルチメディアゲートウェイ１１ａは、コネクションを確立したことを確認し、通常のＴＯＳ値に変更して正常の回線接続を維持する。
【００３１】
次に、端末１３ｃが端末１３ｆへのコネクション要求を行った場合、コールエージェント１２は、同様の手順で、低いＴＯＳ値での接続をマルチメディアゲートウェイ１１ａに指示する。
【００３２】
このように、端末１３ｃ−端末１３ｆ間など、新しい接続に対しては、所定時間経過するまではＴＯＳ値を低く設定するので、その結果、回線に不具合が生じた場合には、ＴＯＳ値が低い端末１３ｃ−端末１３ｆ間の回線の通話品質のみが影響を受けて低下することとなり、既に確立している端末１３ａ−端末１３ｄ間の回線や端末１３ｂ−端末１３ｅ間の回線への品質劣化を及ぼすことを回避することができる。
【００３３】
尚、特定の加入者に高品質な回線を提供する際には、コールエージェント１２において、特定の端末（１３ａ〜１３ｆ）を予め登録しておき、各登録端末に対して、ＴＯＳ値の変更による接続手順を記憶させ、回線の優先接続を行わせる。
【００３４】
図４は、本発明に係わるパケット通信制御方法の処理動作例を示すフローチャートである。
【００３５】
新たな接続要求があれば（ステップ４０１）、当該パケットのＴＯＳの値を低い値（Ｆ０）に設定し（ステップ４０２）、タイマをスタートさせて以降の経過時間を計測する（ステップ４０３）。
【００３６】
予め定められた経過時間Ｔ１を経過しても予め定められた十分な品質でのコネクションの確立ができなければ（ステップ４０４，４０５）、当該コネクション処理を停止する。
【００３７】
また、予め定められた経過時間Ｔ１を経過する前に予め定められた十分な品質でコネクション確立すれば、予め定められた経過時間Ｔ２を待ち（ステップ４０７）、経過時間Ｔ２を経過すると、当該パケットのＴＯＳの値を、Ｆ０より高い値Ｆ１に変更する（ステップ４０８）。
【００３８】
さらに、その後、予め定められた経過時間Ｔ３が経過すると（ステップ４０９）、当該パケットのＴＯＳの値を、Ｆ１よりさらに高い値Ｆ２に変更する（ステップ４１０）。このようにして、パケットにおけるＴＯＳの値を、接続持続時間の経過に対応して高い値へ変更する。
【００３９】
以上、図１〜図４を用いて説明したように、本例のパケット通信制御方法とパケット転送装置およびパケット転送サービスシステムでは、パケットのＴＯＳの値を、接続持続時間の経過に対応して高い値へ変更する。
【００４０】
例えば、新たな接続に対しては、パケットのＴＯＳ（Type Of Service）の値を、既に接続済のコネクションにおけるパケットのＴＯＳ値よりも低くし、所定の接続持続時間の経過後に、既接続済のパケットとして当該ＴＯＳ値を変更して高くする。
【００４１】
このように、新たな接続に対しては、低い値でのＴＯＳ値で回線の接続を試み、所定時間経過後に高いＴＯＳ値に設定変更を行うことにより、既に接続済のコネクションと、後続の新たなコネクションとの差別化をすることができるので、新たなコネクションの接続の許可または禁止を行うことが可能となり、既に接続済のコネクションへの干渉妨害を回避して、回線品質の劣化を防ぎ、品質の維持が可能となる。
【００４２】
例えば、遅延やパケットロスの多いＶｏＩＰ下においては、簡易な装置を付加することで品質のサービスを提供することができるネットワークを構成することができる。
【００４３】
また、新たな接続要求に対するコネクションが、所定時間が経過するまで予め定められた十分な品質で確立できない場合は、当該コネクションの確立動作を停止し、さらに、同一対地あるいは全対地の新たなコネクションの確立を一定時間停止することにより、既に確立している他のコネクションへの品質低下などの影響を回避することができる。
【００４４】
また、予め登録された加入者に対してのみ本発明を適用することにより、加入者毎に、異なるサービス品質を提供することができ、例えば、予め登録した特定の加入者に対して、簡易に安定した回線サービスを提供することができる。
【００４５】
尚、本発明は、図１〜図４を用いて説明した例に限定されるものではなく、その要旨を逸脱しない範囲において種々変更可能である。例えば、本例では、パケット転送サービスシステムは、ＶｏＩＰを提供するものとして説明したが、ＶｏＩＰに限定するものではない。
【００４６】
また、本例では、パケット転送装置の構成として図２のコンピュータ構成例を示したが、キーボードや光ディスクの駆動装置の無いコンピュータ構成としても良い。また、本例では、光ディスクを記録媒体として用いているが、ＦＤを記録媒体として用いることでも良い。また、プログラムのインストールに関しても、通信装置を介してネットワーク経由でプログラムをダウンロードしてインストールすることでも良い。
【００４７】
また、図４に示す例では、最初に設定されたＴＯＳの値Ｆ０をＦ１とＦ２の２回にわたって変更しているが、図１〜図３ｄの説明のように、Ｆ０からＦ１のみへの変更だけでも良く、あるいは、さらに多段階に変更することでも良い。
【００４８】
【発明の効果】
本発明によれば、新たな接続により既接続済のコネクションが受ける影響を回避し、パケット型通信網の回線品質を向上させることが可能である。すなわち、本発明によれば、新たな接続にあたっては、低い優先順位のＴＯＳ値で回線への接続を試み、所定時間経過後に高いＴＯＳ値に設定変更を行うことにより、後続の新たな接続との差別化をすることができるので、新たな接続の許可または禁止を行うことが可能となり、新たな接続に起因する、既に接続済の回線品質の劣化を回避することができる。これにより、例えば、遅延やパケットロスの多いＶｏＩＰ下においても、簡易な装置を付加することで高品質のサービス提供が可能なネットワークを構成することができる。また、ＴＯＳ値の高い値への変更を予め登録した特定の加入者に対してのみ行うことにより、加入者別に異なる回線品質でのサービスを提供することが可能である。
【図面の簡単な説明】
【図１】本発明に係わるパケット転送装置を有するパケット転送サービスシステムの第１の構成例を示すブロック図である。
【図２】図１におけるパケット転送装置のハードウェア構成例を示すブロック図である。
【図３】本発明に係わるパケット転送装置を有するパケット転送サービスシステムの第２の構成例を示すブロック図である。
【図４】本発明に係わるパケット通信制御方法の処理動作例を示すフローチャートである。
【図５】従来のパケット通信回線網の構成を示すブロック図である。
【符号の説明】
１ａ〜１ｄ：マルチメディアゲートウェイ（「ＭＧ」）、２：データベース（「ＤＢ」）、３ａ〜３ｆ：端末（「Ｔ」）、４ａ，４ｂ：ＴＯＳ値変更部、５ａ，５ｂ：接続時間監視部、６ａ，６ｂ：加入者特定部、７ａ，７ｂ：コネクション停止部、１１ａ〜１１ｄ：マルチメディアゲートウェイ（「ＭＧ」）、１２：コールエージェント（「ＣＡ」）、１３ａ〜１３ｆ：端末（「Ｔ」）、１４ａ，１４ｂ：ＴＯＳ値変更部、１５ａ，１５ｂ：接続時間監視部、１６ａ，１６ｂ：加入者特定部、１７ａ，１７ｂ：コネクション停止部、２１：表示装置、２２：入力装置、２３：外部記憶装置、２４：情報処理装置、２４ａ：ＣＰＵ、２４ｂ：主メモリ、２４ｃ：入出力インタフェース、２５：光ディスク、２６：駆動装置、２７：通信装置、５１ａ〜５１ｄ：マルチメディアゲートウェイ（「ＭＧ」）、５２：コールエージェント（「ＣＡ」）、５３ａ〜５３ｆ：端末（「Ｔ」）。
【図１】
0003678306.tif 000002
【図２】
0003678306.tif 000003
【図３】
0003678306.tif 000004
【図４】
0003678306.tif 000005
【図５】
0003678306.tif 000006